(57)【要約】【課題】機能変更に対して容易に対応できるようにする。【解決手段】網側インターフェース部２で、網側より網プロトコルで通知される制御信号を解釈するとともに、網プロトコルにより網側へ状態通知し、端末機側インターフェース部３で、端末機を制御するとともにその端末機の動作状態を検出する。そして、接続部４で、網側インターフェース部２と端末機側インターフェース部３とを相互に接続する。【選択図】        図１
2004320643.tif 000002
【特許請求の範囲】
【請求項１】
通信網と端末機との間に接続され、網側より所定の網プロトコルで通知される制御信号に基づき前記端末機を制御する機能と、前記端末機の動作状態を網プロトコルで網側に状態通知する機能を備え、前記通信網に前記端末機を接続して所定の電気通信サービスを提供する加入者系装置において、
網側より網プロトコルで通知される制御信号を解釈するとともに、網プロトコルにより網側へ状態通知する網側インターフェース部と、
前記端末機を制御するとともにその端末機の動作状態を検出する端末機側インターフェース部と、
前記網側インターフェース部と前記端末機側インターフェース部とを相互に接続する接続部を備えることを特徴とする加入者系装置。
【請求項２】
請求項１に記載の加入者系装置において、
前記網側インターフェース部に網プロトコルを終端する機能を備え、前記端末機側インターフェース部に前記端末機の加入者線信号を終端する機能を備えることを特徴とする加入者系装置。
【請求項３】
請求項２に記載の加入者系装置において、
網側より網プロトコルで通知される制御信号を前記端末機側インターフェースで終端し、前記接続部を介して前記端末機側インターフェース部に通知して端末機を制御し、
端末機側より加入者線信号で通知された端末機の動作状態を前記端末機側インターフェース部で終端し、前記接続部を介して網側インターフェース部に通知して網側に状態通知することを特徴とする加入者系装置。
【発明の詳細な説明】
【０００１】
【発明の属する技術分野】
本発明は、加入者系装置に関し、特に電話サービスやデータ通信サービスなどの電気通信サービスに使用する加入者系装置に関するものである。
【０００２】
【従来の技術】
一般に、電話サービスやデータ通信サービスなどの各種電気通信サービスを提供する電気通信サービスシステムでは、通信網と加入者の端末機との間に加入者系装置を設置して、加入者回線を介して端末機を収容し、その端末機を制御することにより、各種電気通信サービスを提供するものとなっている。
このような従来の加入者系装置では、網側より網プロトコルで通知される制御信号に基づき端末機を制御する機能と、端末機の動作状態を網プロトコルで網側に状態通知する機能とが一体の機能部品として実装されていた。
【０００３】
なお、上述した従来技術は、出願人が出願時点で知る限りにおいて文献公知ではない。また、出願人は出願時までに本発明に関連する先行技術文献を発見することはできなかった。よって、先行技術文献情報を開示していない。
【０００４】
【発明が解決しようとする課題】
しかしながら、このような従来の加入者系装置では、網側より網プロトコルで通知される制御信号に基づき端末機を制御する機能と、端末機の動作状態を網プロトコルで網側に状態通知する機能とが一体の機能部品として実装されているため、網プロトコル、あるいは端末機の加入者線信号のいずれかに変更があった場合は、一体化されている機能部品を変更する必要がある。したがって、その変更が加入者系装置の機能部品全体に影響を及ぼし、変更が大規模になるとなるという問題点があった。
本発明はこのような課題を解決するためのものであり、機能変更に対して容易に対応できる加入者系装置を提供することを目的としている。
【０００５】
【課題を解決するための手段】
このような目的を達成するために、本発明にかかる加入者系装置は、通信網と端末機との間に接続され、網側より所定の網プロトコルで通知される制御信号に基づき端末機を制御する機能と、端末機の動作状態を網プロトコルで網側に状態通知する機能を備え、通信網に端末機を接続して所定の電気通信サービスを提供する加入者系装置において、網側より網プロトコルで通知される制御信号を解釈するとともに、網プロトコルにより網側へ状態通知する網側インターフェース部と、端末機を制御するとともにその端末機の動作状態を検出する端末機側インターフェース部と、網側インターフェース部と端末機側インターフェース部とを相互に接続する接続部を備えるものである。
【０００６】
また、網側インターフェース部に網プロトコルを終端する機能を備え、端末機側インターフェース部に端末機の加入者線信号を終端する機能を備えてもよい。
さらに、網側より網プロトコルで通知される制御信号を端末機側インターフェースで終端し、接続部を介して端末機側インターフェース部に通知して端末機を制御し、端末機側より加入者線信号で通知された端末機の動作状態を端末機側インターフェース部で終端し、接続部を介して網側インターフェース部に通知して網側に状態通知するようにしてもよい。
【０００７】
【発明の実施の形態】
次に、本発明の実施の形態について図面を参照して説明する。
まず、図１を参照して、本発明の一実施の形態にかかる加入者系装置について説明する。図１は本発明の一実施の形態にかかる加入者系装置の構成を示すブロック図である。
加入者系装置１は、加入者回線を介して加入者の端末機６を収容するとともに、通信網５を介して各端末機６を管理するコールエージェント７や他の加入者系装置８に接続され、これら網側からの指示に応じて端末機６を制御する装置である。これらコールエージェント７、通信網５、加入者系装置１、および端末機９を収容する加入者系装置８により電気通信サービスシステムが構成されている。
【０００８】
加入者系装置１には、網側インターフェース部（以下、網側Ｉ／Ｆ部という）２、端末機側インターフェース部（以下、端末機側Ｉ／Ｆ部という）３、および接続部４が設けられている。これら機能部は、専用のハードウェアで実現してもよく、ＣＰＵなどのマイクロプロセッサとその周辺回路からハードウェアとプログラムとを協働させてそれぞれの機能を実現してもよい。
【０００９】
網側Ｉ／Ｆ部２は、通信網５と接続して、コールエージェント７や他の加入者系装置８などの網側より網プロトコルで通知される制御信号を解釈する機能と網プロトコルにより網側へ状態通知する機能、すなわち網プロトコルを終端する機能を有する機能部である。
端末機側Ｉ／Ｆ部３は、加入者回線を介して複数の端末機６を収容し、その端末機６を制御する機能と端末機の動作状態を検出する機能、すなわち端末機の加入者線信号を終端する機能を有する機能部である。
接続部４は、網側Ｉ／Ｆ部２および端末機側Ｉ／Ｆ部３を相互に接続する機能を有する機能部である。
【００１０】
本実施の形態では、このように、加入者系装置の機能部を網側Ｉ／Ｆ部と端末機側Ｉ／Ｆ部とに分離して設けるとともに、これら機能部を接続部４で相互に接続するようにしたので、網プロトコルあるいは端末機の加入者線信号が変更された場合でも、網側Ｉ／Ｆ部２あるいは端末機側Ｉ／Ｆ部３のみ変更することでこれらの変更に対応することができる。
したがって、加入者系装置において変更が必要な箇所を制限できることから、変更範囲を削減でき、機能変更に対して容易に対応できる。
【００１１】
次に、図２を参照して、本実施の形態にかかる加入者系装置の動作について説明する。図２は加入者系装置の動作を示す説明図である。
以下では、加入者系装置１に接続されている端末機６が電話機６Ａからなり、この電話機６Ａが加入者系装置８に接続されている電話機９Ａとの間で通話を行う場合について説明する。この際、加入者系装置１には、端末機側Ｉ／Ｆ部３として電話機側Ｉ／Ｆ部３Ａが設けられているものとする。
【００１２】
網プロトコルとしてＩＰプロトコル（ＩＴＵ−Ｔ勧告  Ｈ．３２３）を用い、電話機９Ａより発信し、電話機６Ａに着信した場合、以下のような処理を行う。
まず、電話機９Ａからの発信通知に応じて、加入者系装置８は、通信網５を介してコールエージェント７に加入者系装置１と通信可能か否かを問い合わせる（ステップＳ１１）。一般に、コールエージェント７は、各電話機に関する端末機情報を予め管理しており、その端末機情報に基づき両電話機の種別を比較して通信可否を判定し、通信網５を介してその判定結果を回答する。
【００１３】
ここで、コールエージェント７より通信可能と回答された場合、加入者系装置８は、通信網５を介して加入者系装置１に接続を要求する（ステップＳ１２）。
加入者系装置８から接続を要求された加入者系装置１の網側Ｉ／Ｆ部２は、通信網５を介してコールエージェント７に加入者系装置８と通信可能か否かを問い合わせる（ステップＳ１３）。
これに応じて、前述と同様にしてコールエージェント７で通信可否が判定され、コールエージェント７より通信網５を介して通信可能と回答された場合、加入者系装置１の網側Ｉ／Ｆ部２は、加入者系装置８との間でネゴシュエーションを行う（ステップＳ１４）。この加入者系装置８とのネゴシュエーションの過程で、加入者系装置１の電話機側Ｉ／Ｆ部３Ａは、電話機６Ａを呼び出し、これが応答するとネゴシュエーションを終了し、電話機６Ａと電話機９Ａとの通話を開始する。
【００１４】
上記の処理のうち、加入者系装置１が電話機６Ａを呼び出す処理の一例を以下に示す。
まず、加入者系装置１では、網側Ｉ／Ｆ部２から接続部４を介して電話機側Ｉ／Ｆ部３Ａへ、電話機６Ａを呼び出すよう要求する（ステップＳ１５）。これに応じて電話機側Ｉ／Ｆ部３Ａは、電話機６Ａが使用中（オフフック状態）でないことを確認する（ステップＳ１６）。
使用中でないことを確認した後、電話機側Ｉ／Ｆ部３Ａは、電話機６Ａの正常性を試験する（ステップＳ１７）。
【００１５】
電話機６Ａの正常性を確認した後、電話機側Ｉ／Ｆ部３Ａは、加入者系装置１より、電話機６Ａへの給電極性を転極し（ステップＳ１８）、電話機６Ａへ呼び出し信号を送出する（ステップＳ１９）。
これにより、電話機６Ａで呼び出し信号が検出されて呼出音が報知される。そして、電話機６Ａがその呼び出し信号に応答した場合（ステップＳ２０）、電話機側Ｉ／Ｆ部３Ａは、呼び出し信号を停止し給電極性を復極し（ステップＳ２１）、接続部４を介して網側Ｉ／Ｆ部２へ、電話機６Ａが応答したことを通知する（ステップＳ２２）。
【００１６】
これに応じて、網側Ｉ／Ｆ部２は、通信網５を介して加入者系装置８へ電話機６Ａが応答したことを通知し、これにより加入者系装置１と加入者系装置８との間でネゴシエーションを終了し、電話機６Ａと電話機９Ａとの間の通話を開始する。
【００１７】
これらの処理は、加入者系装置１内の各機能部品で分担して行われる。すなわち、通信網５とのインターフェース処理が網側Ｉ／Ｆ部２で分担され、電話機６Ａ側とのインターフェース処理が電話機側Ｉ／Ｆ部３Ａで分担され、これら網側Ｉ／Ｆ部２と電話機側Ｉ／Ｆ部３Ａとの接続が接続部４４で行われる。
したがって、網側のプロトコルが変更された場合、網側Ｉ／Ｆ部２の変更を行えばよい。この際、電話機側Ｉ／Ｆ部３Ａは、通信網５とのインターフェース処理を行わないため影響を受けない。一方、電話機側の加入者線信号が変更された場合、電話機側Ｉ／Ｆ部３Ａの変更を行えばよい。この際、網側Ｉ／Ｆ部２は、電話機６Ａとのインターフェース処理を行わないため影響を受けない。
【００１８】
以上では、２つの加入者系装置１と加入者系装置８が設けられた電気通信サービスシステムを例として説明したが、加入者系装置の数についてはこれに限定されるものではなく、実際にはより多くの加入者系装置が用いられる。また、加入者系装置１に収容される端末機６の数についても同様であり、実際にはより多くの端末機６が同一加入者系装置１に収容される。
また、以上では、加入者系装置１に収容された電話機６Ａ（端末機６）と、加入者系装置８に収容された電話機９Ａ（端末機９）に対して、通話サービスが提供される場合を例として説明したが、本実施の形態にかかる加入者系装置が適用される電気通信サービスシステムは通話サービスに限定されるものではなく、端末機間のデータ通信サービスにも同様にして適用でき、前述と同様の作用効果が得られる。
【００１９】
【発明の効果】
以上説明したように、本発明は、網側より網プロトコルで通知される制御信号を解釈するとともに、網プロトコルにより網側へ状態通知する網側インターフェース部と、端末機を制御するとともにその端末機の動作状態を検出する端末機側インターフェース部と、網側インターフェース部と端末機側インターフェース部とを相互に接続する接続部を設けるようにしたので、網プロトコルあるいは端末機の加入者線信号が変更された場合でも、網側インターフェース部あるいは端末機側インターフェース部のみ変更することでこれらの変更に対応することができる。
したがって、加入者系装置において変更が必要な箇所を制限できることから、変更範囲を削減でき、機能変更に対して容易に対応できる。
【図面の簡単な説明】
【図１】本発明の一実施の形態にかかる加入者系装置の構成を示すブロック図である。
【図２】本実施の形態にかかる加入者系装置の動作例を示す説明図である。
【符号の説明】
１…加入者系装置、２…網側Ｉ／Ｆ部、３…端末機側Ｉ／Ｆ部、３Ａ…電話機側Ｉ／Ｆ部、４…接続部、５…通信網、６…端末機、６Ａ…電話機、７…コールエージェント、８…加入者系装置、９…端末機、９Ａ…電話機。
【図１】
2004320643.tif 000003
【図２】
2004320643.tif 000004